(57)【要約】【課題】使用者が容器本体を開栓している感覚をより一層得ることができるキャップ付き容器を提供する。【解決手段】キャップ付き容器１は、容器本体２と、容器本体２の口部１０に装着されたキャップ３と、を備え、キャップ３は、口部１０をシールする第１のシール部２２ａと、第１のシール部２２ａが口部１０から離れた状態で、口部１０の外側をシール可能な第２のシール部２１ｃと、第１のシール部２２ａが口部１０から離れ、且つ、第２のシール部２１ｃが口部１０の外側をシールしている状態で、口部１０に連通するキャップ３の内側と、キャップ３の外側とに連通し、キャップ３の内外の圧力差によって気体が通過する共鳴室５０と、を有する。【選択図】図１
2020001798.tif 000002
【特許請求の範囲】
【請求項１】
容器本体と、
前記容器本体の口部に装着されたキャップと、を備え、
前記キャップは、
前記口部をシールする第１のシール部と、
前記第１のシール部が前記口部から離れた状態で、前記口部の外側をシール可能な第２のシール部と、
前記第１のシール部が前記口部から離れ、且つ、前記第２のシール部が前記口部の外側をシールしている状態で、前記口部に連通する前記キャップの内側と、前記キャップの外側とに連通し、前記キャップの内外の圧力差によって気体が通過する共鳴室と、を有する、ことを特徴とするキャップ付き容器。
【請求項２】
前記キャップは、
前記容器本体の口部に装着された有頂筒状の内キャップと、
前記内キャップの外側に装着された有頂筒状の外キャップと、を備え、
前記内キャップは、内キャップ頂壁部に前記第１のシール部を有すると共に、内キャップ周壁部に前記第２のシール部を有し、さらに、前記第１のシール部と前記第２のシール部との間において、前記内キャップと前記外キャップとの間に形成された内外キャップ空間に連通する連通孔を有し、
前記外キャップは、外キャップ頂壁部に前記内外キャップ空間に連通する前記共鳴室を有すると共に、外キャップ周壁部に前記内キャップ周壁部の外側に接触し、前記内外キャップ空間をシールする第３のシール部を有する、ことを特徴とする請求項１に記載のキャップ付き容器。
【発明の詳細な説明】
【技術分野】
【０００１】
本発明は、キャップ付き容器に関する。
【背景技術】
【０００２】
従来から、下記特許文献１記載のキャップ付き容器が知られている。このキャップ付き容器は、容器本体が開栓されたことを容易に視認できるようにするために、内容物が収容される有底筒状の容器本体と、容器本体の口部に離脱可能に螺着された有頂筒状の蓋本体、及び、蓋本体に破断可能な弱化部を介して連結され、口部の係止部に対して下方から係止する分離リングを有する蓋体と、を備えている。この構成によれば、蓋体の口部に対する螺着を解除することによって弱化部を破断して分離リングを蓋本体から分離させており、弱化部が破断する際に生じる破断音や破断時の感触によって、使用者が蓋体を開栓している感覚を得ることができる。
【先行技術文献】
【特許文献】
【０００３】
【特許文献１】特開２００７−２９７０９７号公報
【発明の概要】
【発明が解決しようとする課題】
【０００４】
しかしながら、上記キャップ付き容器においても、容器本体を開栓している感覚をより一層高めることに対する要求があった。
【０００５】
本発明は、使用者が容器本体を開栓している感覚をより一層得ることができるキャップ付き容器を提供することを目的とする。
【課題を解決するための手段】
【０００６】
（１）本発明に係るキャップ付き容器は、容器本体と、前記容器本体の口部に装着されたキャップと、を備え、前記キャップは、前記口部をシールする第１のシール部と、前記第１のシール部が前記口部から離れた状態で、前記口部の外側をシール可能な第２のシール部と、前記第１のシール部が前記口部から離れ、且つ、前記第２のシール部が前記口部の外側をシールしている状態で、前記口部に連通する前記キャップの内側と、前記キャップの外側とに連通し、前記キャップの内外の圧力差によって気体が通過する共鳴室と、を有する、ことを特徴とする。
【０００７】
本発明に係るキャップ付き容器によれば、キャップを回して容器本体を開栓すると、容器本体の口部をシールしていたキャップの第１のシール部が口部から離れ、キャップの内側と口部とが連通する。キャップには、キャップの内外に連通する共鳴室が設けられており、キャップの内外の圧力差によって共鳴室を気体が通過し、共鳴音が発生する。ここで、キャップは、第１のシール部が口部から離れた状態で、口部の外側をシールする第２のシール部を有するため、開栓時におけるキャップの内外の圧力差を保持することができる。
例えば、容器本体が炭酸飲料などを収容し、また、内容物充填時に容器本体を加圧したなどの陽圧状態の場合には、開栓時にキャップの内側から外側に向かって気体が共鳴室を通過して、共鳴音が発生する。また、例えば、容器本体が減容変形したり、内容物を熱充填したり、また、内容物充填時に容器本体を減圧したなどの陰圧状態の場合には、開栓時にキャップの外側から内側に向かって気体（外気）が共鳴室を通過して、共鳴音が発生する。このため、開栓したことが聴覚的に分かる。
このように、キャップを容器本体から離脱させたとき生じる音により、容器本体を開栓している感覚をより一層高めることができる。また、このような音を通して、使用者は、キャップ付き容器の開栓、開封が初めてなされたことを強く感じ、容器本体内に収容されている内容物の新鮮さ（例えば内容物の鮮度が高い状態や鮮度が保たれた状態）を容易に認識することができる。
【０００８】
（２）前記キャップは、前記容器本体の口部に装着された有頂筒状の内キャップと、前記内キャップの外側に装着された有頂筒状の外キャップと、を備え、前記内キャップは、内キャップ頂壁部に前記第１のシール部を有すると共に、内キャップ周壁部に前記第２のシール部を有し、さらに、前記第１のシール部と前記第２のシール部との間において、前記内キャップと前記外キャップとの間に形成された内外キャップ空間に連通する連通孔を有し、前記外キャップは、外キャップ頂壁部に前記内外キャップ空間に連通する前記共鳴室を有すると共に、外キャップ周壁部に前記内キャップ周壁部の外側に接触し、前記内外キャップ空間をシールする第３のシール部を有しても良い。
【０００９】
この場合には、キャップを回して容器本体を開栓すると、容器本体の口部をシールしていた内キャップの第１のシール部が口部から離れ、内キャップの内側と口部とが連通する。内キャップには、内キャップと外キャップとの間に形成された内外キャップ空間に連通する連通孔されており、連通孔を介して内外キャップ空間と口部とが連通する。そして、外キャップには、内外キャップ空間に連通する共鳴室が設けられており、キャップの内外の圧力差によって共鳴室を気体が通過し、共鳴音が発生する。ここで、内キャップは、第１のシール部が口部から離れた状態で、口部の外側をシールする第２のシール部を有するため、開栓時におけるキャップの内外の圧力差を保持することができる。さらに、外キャップは、内キャップ周壁部の外側に接触し、内外キャップ空間をシールする第３のシール部を有するため、開栓時におけるキャップの内外の圧力差を保持することができる。
【発明の効果】
【００１０】
本発明に係るキャップ付き容器によれば、キャップを容器本体から離脱させたとき生じる音により、容器本体を開栓している感覚をより一層高めることができる。また、このような音を通して、使用者は、キャップ付き容器の開栓、開封が初めてなされたことを強く感じ、容器本体内に収容されている内容物の新鮮さ（例えば内容物の鮮度が高い状態や鮮度が保たれた状態）を容易に認識することができる。
【図面の簡単な説明】
【００１１】
【図１】本発明の一実施形態に係るキャップ付き容器の断面図である。
【図２】図１に示すキャップ付き容器の開栓時の様子を示す断面図である。
【発明を実施するための形態】
【００１２】
以下、本発明に係るキャップ付き容器の一実施形態について図面を参照して説明する。
図１に示すように、本実施形態のキャップ付き容器１は、内容物が収容される有底筒状の容器本体２と、容器本体２の口部１０に装着された有頂筒状のキャップ３と、を備えている。なお、内容物としては、例えば水のような発泡性のない液体や炭酸飲料のような発泡性の液体などが挙げられるが、このような液体に限定されず、ゲル状や固体状の内容物など他の形態の内容物であってもよい。また、内容物としては、特に飲料や食品のような鮮度を要求されるものが好適に挙げられる。
【００１３】
容器本体２及びキャップ３は、それぞれの中心軸線が共通軸上に位置された状態で配設されている。本実施形態ではこの共通軸を容器軸Ｏといい、容器軸Ｏに沿ったキャップ３側を上側、容器本体２の図示しない底部側を下側という。また、容器軸Ｏ方向から見た平面視において、容器軸Ｏに交差する方向を径方向といい、容器軸Ｏ回りに周回する方向を周方向という。
【００１４】
容器本体２は、底部、胴部、肩部及び口部１０を有する有底筒状に形成され、例えば胴部が横断面視円形状に形成された合成樹脂製のボトルとされている。なお、容器本体２の形状は特に限定されるものではなく、例えば胴部が断面視楕円状や多角形状に形成されても良く、特定の形状に限定されるものではない。
【００１５】
容器本体２の合成樹脂としては、例えばポリエチレンテレフタレート樹脂（ＰＥＴ樹脂）が挙げられるが、この場合に限定されるものではない。さらに容器本体２は、単層の合成樹脂層から形成されていても構わないし、複数の合成樹脂層が積層された積層構造とされていても構わない。さらに、容器本体２を、弾性変形（スクイズ変形）によって内容物を注出する容器としても構わない。
【００１６】
容器本体２の口部１０の外周面には、キャップ３が螺着される雄ネジ部１１が形成されている。雄ネジ部１１は、一条ネジであっても構わないし、多条ネジであっても構わない。また、口部１０の雄ネジ部１１よりも下側の外周面には、環状突起１２が形成されている。環状突起１２は、径方向外側に向かって突出すると共に、周方向の全周に亘って外周面が延びている。環状突起１２の径方向外側へ向けた突出量は、雄ネジ部１１と同等とされている。
【００１７】
キャップ３は、容器本体２の口部１０に装着された有頂筒状の内キャップ２０と、内キャップ２０の外側に装着された有頂筒状の外キャップ３０と、を備えている。内キャップ２０及び外キャップ３０は、それぞれの中心軸が共通し、容器軸Ｏと同軸上に配設されている。
【００１８】
内キャップ２０は、容器本体２の口部１０を径方向外側から囲む筒状の内キャップ周壁部２１と、内キャップ周壁部２１の上端開口部を閉塞する有底筒状の内キャップ頂壁部２２と、内キャップ周壁部２１の上端部と内キャップ頂壁部２２の周縁部とを接続する環状の内キャップ接続部２３と、を備えている。
【００１９】
内キャップ周壁部２１の内周面には、容器本体２の口部１０に形成された雄ネジ部１１に螺着する雌ネジ部２１ａが形成されている。これにより、内キャップ２０は、雄ネジ部１１と雌ネジ部２１ａとの螺合によって、容器本体２の口部１０に装着されている。内キャップ周壁部２１の外周面には、容器軸Ｏ方向に沿って延びると共に、径方向外側に向けて突出した内キャップ外周リブ２１ｂが、周方向に間隔をあけて複数形成されている。
【００２０】
内キャップ周壁部２１の下端部には、破断可能な連結弱化部２５を介してリング体２４が連結されている。リング体２４は、容器本体２の環状突起１２の下側に配置され、容器本体２の口部を径方向外側から囲んでいる。リング体２４の内周面には、径方向内側に向かって突出すると共に、周方向に間隔をあけて複数の突起片２４ａが形成されている。
【００２１】
突起片２４ａは、リング体２４の内周面の下端部側から径方向内側に向かって突出していると共に、径方向内側に向かうにしたがって漸次上方に延びるように形成されている。突起片２４ａの上端部は、容器本体２の口部１０に形成された環状突起１２に対して下方から係止している。これにより、リング体２４は、上方への抜け止めがされた状態で容器本体２の口部１０を囲んでいる。
【００２２】
連結弱化部２５は、リング体２４の上端開口縁と内キャップ周壁部２１の下端開口縁との間に形成され、リング体２４と内キャップ周壁部２１とを容器軸Ｏ方向に一体に連結している。連結弱化部２５は、周方向に間隔をあけて複数形成されており、連結弱化部２５の肉厚は内キャップ周壁部２１及びリング体２４の肉厚よりも小さくなっている。このため、連結弱化部２５は破断されやすくなっている。
【００２３】
内キャップ接続部２３は、内キャップ周壁部２１の上端部の内周面から径方向内側に向かって延在している。内キャップ接続部２３の下面は、容器本体２の口部１０の上端開口縁上に載置されている。
【００２４】
内キャップ頂壁部２２の上端部の外周面は、内キャップ接続部２３の径方向内端縁に連接されている。内キャップ頂壁部２２には、容器本体２の口部１０をシールする第１のシール部２２ａが形成されている。第１のシール部２２ａは、有底筒状の内キャップ頂壁部２２の外周面に形成されており、口部１０の内周面に周方向に亘って接触している。
【００２５】
内キャップ周壁部２１には、容器本体２の口部１０の外側をシール可能な第２のシール部２１ｃが形成されている。第２のシール部２１ｃは、内キャップ周壁部２１の雌ネジ部２１ａと連結弱化部２５との間の内周面に形成され、容器本体２の環状突起１２の外周面に周方向に亘って接触している。
【００２６】
容器軸Ｏ方向における第２のシール部２１ｃのシール長さＬ２は、容器軸Ｏ方向における第１のシール部２２ａのシール長さＬ１よりも大きい。すなわち、キャップ３を回して容器本体２を開栓するときに、第１のシール部２２ａが口部１０から離れても、第２のシール部２１ｃは、口部１０の外側をシール可能な構成となっている。
【００２７】
内キャップ２０には、第１のシール部２２ａと第２のシール部２１ｃとの間に連通孔２６が形成されている。連通孔２６は、内キャップ２０の内側において、内キャップ周壁部２１の内周面における内キャップ接続部２３の連設位置よりも下側に開口すると共に、内キャップ２０の外側において、内キャップ周壁部２１の外周面及び内キャップ接続部２３の上面に跨って開口している。
【００２８】
連通孔２６は、内キャップ２０の周方向に間隔をあけて複数形成されている。これら連通孔２６は、内キャップ２０の内側と、内キャップ２０と外キャップ３０との間に形成された内外キャップ空間４０との間を連通させる。連通孔２６は、第１のシール部２２ａと第２のシール部２１ｃとの間にあるので、第１のシール部２２ａが口部１０から離れ、且つ、第２のシール部２１ｃが口部１０の外側をシールしている状態で、内キャップ２０の内側と、内外キャップ空間４０とを連通させることができる。
【００２９】
外キャップ３０は、内キャップ２０を径方向外側から囲む筒状の外キャップ周壁部３１と、外キャップ周壁部３１の上端開口部を覆う外キャップ頂壁部３２と、を備えている。外キャップ３０は、内キャップ２０よりも一回り大きく形成されており、内キャップ周壁部２１と外キャップ周壁部３１の隙間、及び、内キャップ頂壁部２２と外キャップ頂壁部３２との隙間が互いに連通した内外キャップ空間４０が形成されている。
【００３０】
外キャップ周壁部３１の内周面には、容器軸Ｏ方向に沿って延びると共に、径方向内側に向けて突出した外キャップ内周リブ３１ａが周方向に間隔をあけて複数形成されている。外キャップ内周リブ３１ａは、内キャップ外周リブ２１ｂと周方向において係合している。これにより、内キャップ２０は、外キャップ３０と共に周方向に回転可能とされている。
【００３１】
外キャップ周壁部３１の外キャップ内周リブ３１ａよりも下側の内周面には、内外キャップ空間４０をシールする第３のシール部３１ｂが形成されている。第３のシール部３１ｂは、内キャップ周壁部２１の下端部がアンダーカット嵌合する嵌合部であり、内キャップ周壁部２１の外側に周方向に亘って接触している。
【００３２】
外キャップ頂壁部３２には、キャップ３の内側と、キャップ３の外側とに連通し、キャップ３の内外の圧力差によって気体が通過する共鳴室５０が形成されている。外キャップ頂壁部３２は、二層構造となっており、外キャップ周壁部３１の上端開口を閉塞する第１の頂壁部３２ａと、第１の頂壁部３２ａの上面に重なるように、ヒンジ部３３を介して外キャップ周壁部３１の上端部に連結された第２の頂壁部３２ｂと、を備えている。
【００３３】
第１の頂壁部３２ａの下面には、容器本体２の口部１０の上端開口縁上に載置された内キャップ接続部２３の上面に当接する突起３５が、下側に向かって形成されている。突起３５は、第１の頂壁部３２ａの下面において周方向に隙間をあけて形成され、内キャップ接続部２３との間に容器軸Ｏ方向における隙間を形成する。
【００３４】
第１の頂壁部３２ａの突起３５の形成位置よりも径方向内側は、径方向内側に向かうに従って下方に窪む逆ドーム状に形成され、その中心に第１の貫通孔３２ａ１が形成されている。第１の貫通孔３２ａ１は、容器軸Ｏと同軸上に形成されている。また、第１の頂壁部３２ａの外周縁部には、第２の頂壁部３２ｂが係合可能な係合突部３４ａが環状に形成されている。
【００３５】
第２の頂壁部３２ｂは、有頂筒状に形成され、その周壁部の内周面には、第１の頂壁部３２ａの係合突部３４ａが係合可能な係合溝部３４ｂが形成されている。第２の頂壁部３２ｂの頂壁部は、第１の頂壁部３２ａの窪み形状を上下反転させた突形状を有しており、径方向内側に向かって上方に突出するドーム状に形成され、その中心に第２の貫通孔３２ｂ１が形成されている。第２の貫通孔３２ｂ１は、容器軸Ｏと同軸上に形成されている。
【００３６】
ヒンジ部３３を中心に第２の頂壁部３２ｂを回動させると、第１の頂壁部３２ａの係合突部３４ａと係合溝部３４ｂとを係合させることができる。これにより、第１の頂壁部３２ａの窪み形状と、第２の頂壁部３２ｂの突形状が合わさり、第１の頂壁部３２ａと第２の頂壁部３２ｂとの間に略扁平円体状（略回転楕円体状）の共鳴室５０が形成される。
【００３７】
第１の貫通孔３２ａ１及び第２の貫通孔３２ｂ１を介して共鳴室５０を気体が通り抜けると、共鳴室５０においてカルマン渦が発生する。このカルマン渦により空気が振動し、この空気の振動が共鳴室５０内で共鳴して、大きな音を発生する。このような笛の原理により、キャップ３は音を発生することができる。
【００３８】
次に、上記構成のキャップ付き容器１を開栓する場合について説明する。
【００３９】
キャップ付き容器１を開栓する場合、図１に示す状態から、容器本体２の口部１０に対してキャップ３を容器軸Ｏ回りに回し、キャップ３を上方移動させる。このとき、キャップ３の突起片２４ａは、口部１０の環状突起１２に対して下方から係止しているので、キャップ３のうちリング体２４は上方移動が規制されている。そのため、キャップ３が回転に伴って上方に移動すると、徐々にリング体２４が容器軸Ｏ方向に離間する。これにより、連結弱化部２５に応力を作用させて、連結弱化部２５を破断させることができる。
【００４０】
その後、さらにキャップ３を回すと、図２に示すように、容器本体２の口部１０をシールしていた内キャップ２０の第１のシール部２２ａが口部１０から離れ、内キャップ２０の内側（第１のシール部２２ａよりも径方向外側）と口部１０（容器本体２の内側）とが連通する。また、内キャップ２０には、内キャップ２０と外キャップ３０との間に形成された内外キャップ空間４０に連通する連通孔２６されており、連通孔２６を介して内外キャップ空間４０と内キャップ２０の内側とが連通する。
【００４１】
そして、外キャップ３０には、内外キャップ空間４０に連通する共鳴室５０が設けられており、キャップ３の内外の圧力差によって共鳴室５０に気体が入り、通過すると、共鳴音が発生する。ここで、内キャップ２０は、第１のシール部２２ａが口部１０から離れた状態で、口部１０の外側をシールする第２のシール部２１ｃを有するため、開栓時におけるキャップ３の内外の圧力差を保持することができる。さらに、外キャップ３０は、内キャップ周壁部２１の外側に接触し、内外キャップ空間４０をシールする第３のシール部３１ｂを有するため、開栓時におけるキャップ３の内外の圧力差を保持することができる。
【００４２】
以上説明したように、本実施形態に係るキャップ付き容器１によれば、キャップ３を回して容器本体２を開栓すると、容器本体２の口部１０をシールしていたキャップ３の第１のシール部２２ａが口部１０から離れ、キャップ３の内側と口部１０とが連通する。キャップ３には、キャップ３の内外に連通する共鳴室５０が設けられており、キャップ３の内外の圧力差によって共鳴室５０を気体が通過し、共鳴音が発生する。ここで、キャップ３は、第１のシール部２２ａが口部１０から離れた状態で、口部１０の外側をシールする第２のシール部２１ｃを有するため、開栓時におけるキャップ３の内外の圧力差を保持することができる。
【００４３】
例えば、容器本体２が炭酸飲料などを収容し、また、内容物充填時に容器本体２を加圧したなどの陽圧状態の場合には、開栓時にキャップ３の内側から外側に向かって気体が共鳴室５０を通過して、共鳴音が発生する（図２に示す矢印参照）。また、例えば、容器本体２が減容変形したり、内容物を熱充填したり、また、内容物充填時に容器本体を減圧したなどの陰圧状態の場合には、開栓時にキャップ３の外側から内側に向かって気体（外気）が共鳴室５０を通過して、共鳴音が発生する（図２に示す矢印と反対方向）。このため、使用者は、連結弱化部２５の破断の有無に基づく視覚的なものだけでなく、開栓したことが聴覚的に分かる。
このように、キャップ３を容器本体２から離脱させたとき生じる音により、容器本体２を開栓している感覚をより一層高めることができる。また、このような音を通して、使用者は、キャップ付き容器１の開栓、開封が初めてなされたことを強く感じ、容器本体２内に収容されている内容物の新鮮さ（例えば内容物の鮮度が高い状態や鮮度が保たれた状態）を容易に認識することができる。
【００４４】
なお、本発明の技術的範囲は上述した実施形態に限定されるものではなく、本発明の趣旨を逸脱しない範囲において種々の変更を加えることが可能である。
【００４５】
例えば、キャップ３の内キャップ２０と外キャップ３０が一体構造であってもよい。例えば、内キャップ２０の内キャップ頂壁部２２（第１のシール部２２ａ）のみを部品化し、外キャップ３０の外キャップ頂壁部３２の下面に取り付ければ、内キャップ周壁部２１と外キャップ周壁部３１とを一体化（共通化）した一体構造とすることができる。
【００４６】
また、例えば、上記実施形態では、第１のシール部２２ａが、口部１０の内周面をシールする形態について説明したが、口部１０の上端面（上端開口縁）がシールされていてもよい。例えば、内キャップ接続部２３が第１のシール部であっても、上記実施形態と同様の作用効果を得ることができる。
【００４７】
また、例えば、容器本体２の開栓時、外気を吸い込んで音を発生させるために、容器本体２を強制的に押し込んだ減容変形状態（例えば、容器軸Ｏ方向への収縮変形及び径方向内側への陥没変形の少なくともいずれか一方）でキャップ３を装着し、容器本体２を密封（キャッピング）してもよい。
【００４８】
その他、本発明の趣旨に逸脱しない範囲で、前記実施形態における構成要素を周知の構成要素に置き換えることは適宜可能である。
【符号の説明】
【００４９】
１  キャップ付き容器
２  容器本体
３  キャップ
１０  口部
２０  内キャップ
２１  内キャップ周壁部
２１ｃ  第２のシール部
２２  内キャップ頂壁部
２２ａ  第１のシール部
２６  連通孔
３０  外キャップ
３１  外キャップ周壁部
３１ｂ  第３のシール部
３２  外キャップ頂壁部
３２ａ  第１の頂壁部
３２ａ１  第１の貫通孔
３２ｂ  第２の頂壁部
３２ｂ１  第２の貫通孔
４０  内外キャップ空間
５０  共鳴室
Ｏ  容器軸
【図１】
2020001798.tif 000003
【図２】
2020001798.tif 000004